(57)【要約】  一般消費者のみならず生産者側において、紙製品全般に関して、金属製綴じ針や糊等を使用せず、安全性及び生産性やコスト面で優れ、且つ、廃棄処分が容易な紙を綴じ込む為の機器に使用する金型セットを得る。  対向して配置され、対向面３，４に互いに噛み合い可能な歯部５，６を有する一対の金型１，２からなり、金型１，２で重ねた複数枚の紙を厚さ方向両側から加圧し、金型１，２の歯部５，６を噛み合わせることにより、複数枚の紙を綴じ込む紙の綴じ込み用金型セットであって、金型１，２のそれぞれの対向面３，４に有する歯部５，６は、断面略三角形で所定の歯幅を有し、対向面３，４に複数連なって設けられており、金型１，２のそれぞれの対向面３，４に有する歯部５，６のうち、一方の金型１（２）に有する歯部５（６）にあっては、その幅方向の一側または両側が、歯部５（６）の山頂部７に向かって狭幅方向に傾斜する傾斜面部９となっており、この歯部５（６）に対向する他方の金型２（１）に有する歯部６（５）にあっては、少なくとも、歯部５（６）の山頂部７が一方の金型１（２）に有する歯部５（６）における傾斜面部９側の谷底部８に掛かる位置まで存在している。
2011018897.tif 000002
【特許請求の範囲】
【請求項１】
対向して配置され、対向面に互いに噛み合い可能な歯部を有する一対の金型からなり、この一対の金型で重ねた複数枚の紙を厚さ方向両側から加圧し、一対の金型の歯部を噛み合わせることにより、複数枚の紙を綴じ込む紙の綴じ込み用金型セットであって、前記一対の金型のそれぞれの対向面に有する歯部は、断面略三角形で所定の歯幅を有し、対向面に複数連なって設けられており、前記一対の金型のそれぞれの対向面に有する歯部のうち、一方の金型に有する歯部にあっては、歯幅方向の一側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在していることを特徴とする紙の綴じ込み用金型セット。
【請求項２】
前記一対の金型の歯部を有するそれぞれの対向面には、歯部の幅方向の一側または両側に、歯部の谷底部と略同一面となる平坦面が形成されていることを特徴とする請求項１に記載の紙の綴じ込み用金型セット。
【請求項３】
前記歯部の山頂部の幅方向の両側端部と谷底部の幅方向の両側端部は曲面形状となっていることを特徴とする請求項１または２のいずれか１に記載の紙の綴じ込み用金型セット。
【請求項４】
前記一対の金型のうち、一方の金型は歯車形状となっており、他方の金型は、直線形状となっていることを特徴とする請求項１，２または３のいずれか１に記載の紙の綴じ込み用金型セット。
【発明の詳細な説明】
【技術分野】
【０００１】
本発明は、金属製の綴じ針、糊、糸、紐などを使用しないで、複数枚の紙を綴じ込むことができる紙の綴じ込み用金型セットに関する。
【背景技術】
【０００２】
従来、冊子や帳票などの多くが金属製の綴じ針や糊などで綴じられて作成されている。しかし、金属製の綴じ針の場合は、その綴じ状態が不完全であると、綴じ針の端部が飛び出して危険な場合がある。
また、冊子や帳票などが不要になり廃棄する場合、必要に応じてシュレッダーにより裁断し、そして、焼却処分し、あるいは省資源といった観点から再生紙として再利用するといったことが行われているが、金属製の綴じ針で綴じられたものは、シュレッダーの刃の損傷を避けるため、金属製綴じ針を外す必要があった。また、糊で綴じられたものは、その糊がホットメルトなどの樹脂系糊である場合、焼却の際、有害ガスが発生するので、糊部分の切り落とし作業をしなければならない。【０００３】
これらの作業には手間がかかり、人件費等のコストにも跳ね返る。この問題点に対応する為に金属製綴じ針や糊を使用しないで、紙を綴じ込むことができるものとして、例えば、帳票等、複数枚の紙を綴じ込むとき、一枚一枚の紙に水分を供給し、凹凸が連なった綴じ部材で上下から圧力を掛けて綴じ込む方法と綴じ込む装置が開示されている（例えば、特許文献１、２参照。）。
【先行技術文献】
【特許文献】
【０００４】
【特許文献１】特許第３４８１３００号公報
【特許文献２】特許第３５０２２０４号公報
【発明の概要】
【発明が解決しょうとする課題】
【０００５】
しかし、特許文献１及び特許文献２で開示されている技術による、１枚１枚の紙に水分を供給し、凹凸が連なった綴じ部材で上下から圧力を掛けて綴じ込む方法では、水分により綴じ合わせ部分が波を打ってしまう為、冊子やパンフレット等、美的な物品には適用できず、帳票などに限定される。又、別途１枚１枚に水分をむらなく供給する為には、綴じ合わせ加工の前工程に、精巧で複雑な装置を設置しなければならず、その為、綴じ枚数が多ければ、その分装置も大掛かりとなるといった問題がある、
【０００６】
本発明は一般消費者のみならず生産者側において、紙製品全般に関して、金属製綴じ針や糊等を使用せず、安全性及び生産性やコスト面で優れ、且つ、廃棄処分が容易な紙を綴じ込む為の機器に使用する金型セットを提供することにある。
【課題を解決するための手段】
【０００７】
上記の目的を達成するために、請求項１に記載された発明は、対向して配置され、対向面に互いに噛み合い可能な歯部を有する一対の金型からなり、この一対の金型で重ねた複数枚の紙を厚さ方向両側から加圧し、一対の金型の歯部を噛み合わせることにより、複数枚の紙を綴じ込む紙の綴じ込み用金型セットであって、前記一対の金型のそれぞれの対向面に有する歯部は、断面略三角形で所定の歯幅を有し、対向面に複数連なって設けられており、前記一対の金型のそれぞれの対向面に有する歯部のうち、一方の金型に有する歯部にあっては、歯幅方向の一側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在していることを特徴とする。【０００８】
請求項１に記載された発明によれば、前記一対の金型のそれぞれの対向面に有する歯部のうち、一方の金型に有する歯部にあっては、幅方向の一側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在するので、対向する一対の金型の歯部にあっては、一方の金型の歯部の傾斜面部側の山頂部の端部は他の金型の歯部の山頂部の幅内にあり、対向する一対の金型の歯部を噛み合わせたとき、一方の金型の歯部の傾斜面部側の山頂部の端部側が他方の金型の歯部の山頂部の幅内で噛み合い、一方の金型の歯部の傾斜面部側の谷底部と他方の金型の歯部の山頂部と噛み合うことになる。【０００９】
このような一対の金型で重ねた複数枚の紙を厚さ方向両側から加圧し、一対の金型の歯部を噛み合わせたとき、紙の最も破れ易い部分である歯部の山頂部の端部において、傾斜面部側の山頂部の端部側が他方の金型の歯部の山頂部の幅内で噛み合い、山頂部の端部同士が対向して噛み合わないので、強い圧力を加えても紙の破れを抑えることができ、また、前記他方の金型の歯部の山頂部の幅内で噛み合う一方の歯部の山頂部の端部が傾斜面部となっているので、金型の歯部を噛み合わせたときの圧力を傾斜面部が緩衝し、これによっても紙の破れを抑えることができる。【００１０】
これにより、複数枚の紙の綴じ込みに際し、一対の金型を強い力を加えて、紙の破れを抑えながら複数枚の紙を圧縮することが可能となり、紙の圧縮部に強い結着力が得られることから、複数枚の紙を、破れを抑えた状態で確実に綴じ込むことができる。
また、一方の金型の歯部の傾斜面部側の谷底部の端部が他方の金型の歯部の山頂部と噛み合うので、紙は金型の歯部の山頂部の端部間と谷底部の端部間で圧縮されることになり、紙の圧縮部に強い結着力が得られ、複数枚の紙を確実に綴じ込むことができる。【００１１】
請求項２に記載された発明は、請求項１に記載の、前記一対の金型の歯部を有するそれぞれの対向面には、歯部の幅方向の一側または両側に、歯部の谷底部と略同一面となる平坦面が形成されていることを特徴とする。【００１２】
請求項２に記載された発明によれば、前記一対の金型の歯部を有するそれぞれの対向面には、歯部の幅方向の一側または両側に、歯部の谷底部と略同一面となる平坦面が形成されているので、重ねた紙の枚数が多い場合、歯部の圧力を高める必要があるが、過度な圧力は紙の破れを招き、綴じ込み強度の低下を招くことがあり、平坦面で重ねた紙を押さえることにより、歯部による紙への過度な圧力を規制することができる。【００１３】
請求項３に記載された発明は、請求項１または２のいずれか１に記載の、前記歯部の山頂部の幅方向の両側端部と谷底部の幅方向の両側端部は曲面形状となっていることを特徴とする。【００１４】
請求項３に記載された発明によれば、前記歯部の山頂部の幅方向の両側端部と谷底部の幅方向の両側端部は曲面形状となっているので、歯部を噛み合わせたとき、紙に特に強い負荷が掛かる前記歯部の山頂部の幅方向の両側端部と谷底部の幅方向の両側端部による紙の破れを効果的に防止し、あるいは減少させることができる。【００１５】
請求項４に記載された発明は、請求項１，２または３のいずれか１に記載の、前記一対の金型のうち、一方の金型は歯車形状となっており、他方の金型は、直線形状となっていることを特徴とする。【００１６】
請求項４に記載された発明によれば、前記一対の金型のうち、一方の金型は歯車形状となっており、他方の金型は、直線形状となっているので、歯車形状の金型が回転し、歯車形状の金型または直線形状の金型が移動することにより綴じ込みが可能となる。この金型は往復運動での加圧が可能であり、また、噛み合う接点も部分的であるため、面圧が相当減少することとなる。また、綴じる箇所の範囲に容易に対応することができる。
また、この金型は、プレス時の騒音も少なく、且つ、コンパクトな装置での綴じ込みが可能となり、手動式の綴じ機器や、スペースの少ないオンデマンドデジタルプリンターのインナー綴じ機器の金型として活用することができる。
【発明の効果】
【００１７】
本発明の紙の綴じ込み用金型セットによれば、複数枚の紙の綴じ込みに際し、一対の金型に強い力を加えて、紙の破れを抑えながら複数枚の紙を圧縮することが可能となり、紙の圧縮部に強い結着力が得られることから、複数枚の紙を、破れを抑えた状態で強い結着力で確実に綴じ込むことができる。
本発明の紙の綴じ込み用金型セットは、雑誌や冊子、パンフレット、フリーペーパー、会報誌、記念誌、冊子状チラシ、冊子状新聞、ノートの綴じ込み用として使用できるだけでなく、さらに、紙袋、カートンやダンボールの紙箱における綴じ部分の綴じ込み用としても使用することができる。
また、本発明係る紙の綴じ込み用金型セットは、紙以外に、例えば、プラスチックフィルム、アルミなどを紙に積層した金属性シート材といったものも綴じることができ、プラスチックフィルム、アルミなどを紙に積層した金属性シート材などの綴じ込みにも適用される。
【図面の簡単な説明】
【００１８】
【図１】本発明に係る紙の綴じ込み用金型セットの第１実施例を示す正面図である。
【図２】図１の右側面図である。
【図３】本例の一対の金型の歯部を噛み合わせた状態を示す正面図である。
【図４】図３の一部拡大図である。
【図５】図３の右側面図である。
【図６】本例の金型の歯部を示す一部省略拡大斜視図である。
【図７】本例の一対の金型の軸がずれた状態における歯部の噛み合わせ状態を示し、（Ａ）は上側の金型が一方にずれた状態を示す説明図であり、（Ｂ）は上側の金型が他方にずれた状態を示す説明図である。
【図８】本例の金型で紙を圧縮した状態を示す一部拡大断面図である。
【図９】本例の金型で紙を圧縮した状態を示す歯部幅方向縦断面図である。
【図１０】本例の一対の金型で圧縮して綴じ込んだ紙の圧縮痕跡を示す説明図である。
【図１１】本例の金型で圧縮する重ねた複数枚の紙を示す斜視図である。
【図１２】本例の一対の金型で圧縮して綴じ込んで作成した冊子を示す斜視図である。
【図１３】本発明に係る紙の綴じ込み用金型セットの第２実施例を示す側面図である。
【図１４】本例の一対の金型の歯部を噛み合わせた状態を示す正面図である。
【図１５】本例の金型で紙を圧縮した状態を示す歯部幅方向縦断面図である。
【図１６】本発明に係る紙の綴じ込み用金型セットの第３実施例を示す側面図である。
【図１７】本例の一対の金型の歯部を噛み合わせた状態を示す正面図である。
【図１８】本発明に係る紙の綴じ込み用金型セットの第４実施例を示す側面図である。
【図１９】本例の一対の金型の歯部を噛み合わせた状態を示す正面図である。
【図２０】本発明に係る紙の綴じ込み用金型セットの第５実施例を示す側面図である。
【図２１】本例の一対の金型の歯部を噛み合わせた状態を示す正面図である。
【図２２】本発明に係る紙の綴じ込み用金型セットの第６実施例を示す正面図である。
【発明を実施するための形態】
【００１９】
つぎに、本発明に係る紙の綴じ込み用金型セットの実施の形態について説明する。
本発明の紙の綴じ込み用金型セットは、対向して配置され、対向面に互いに噛み合い可能な歯部を有する一対の金型からなる。
この一対の金型のそれぞれの対向面に有する歯部は、断面略三角形で所定の幅を有し、対向面に複数連なって設けられている。この歯部にあっては、一対の金型の歯部を噛み合わせたとき、一方の金型の歯部の山頂部と他方の金型の歯部の谷底部との間に隙間が形成されることが好ましい。この隙間は歯部の山頂部を、谷底部よりも曲率の大きい曲面とすることにより形成することができる。
【００２０】
このように形成された歯部のうち、一方の金型に有する歯部の幅方向の一側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在する。
この傾斜面部にあっては、一方の金型に有する歯部の幅方向の一側に設けられ、そして他方の金型に有する歯部には、対向する一方の金型の歯部の傾斜面部の対角線上にある一側に設けられてもよく、また、傾斜面部が一方の金型に有する歯部の幅方向の両側に設けられてもよい。この傾斜面部の傾斜角度にあっては、特に限定されない。
また、一方の金型に有する歯部における傾斜面部側の谷底部に掛かる位置に存在する他方の金型に有する歯部の山頂部にあっては、一方の金型に有する歯部における傾斜面部側の谷底部に掛かる限り、その位置は限定されない。例えば、他方の金型に有する歯部の山頂部は、一方の金型に有する歯部における傾斜面部側の谷底部の途中まで存在していてもよく、または、傾斜面部側の谷底部を越える位置まで存在していてもよい。
【００２１】
また、対向する一対の金型の歯部を有するそれぞれの対向面には、歯部の幅方向の一側または両側に、歯部の谷底部と略同一面となる平坦面が形成されていることが好ましい。さらに、対向する一対の金型の歯部を有するそれぞれの対向面に、歯部の連設方向の一側または両側に、歯部の谷底部と略同一面となる平坦面が形成されていることが好ましい。また、歯部の山頂部の幅方向の両側端部と谷底部の幅方向の両側端部は曲面形状となっていることが好ましい。さらに、歯部の側面、即ち、傾斜面部及び傾斜面部の反対側の面部とで形成される角部も曲面形状とすることが好ましい。
【実施例】
【００２２】
以下、本発明に係る紙の綴じ込み用金型セットの具体的実施例を図面により詳細に説明する。
図１乃至図９は本発明に係る紙の綴じ込み用金型セットの第１実施例を示すものであり、図１は本例の紙の綴じ込み用金型セットを示す正面図、図２は図１の右側面図、図３は本例の一対の金型の歯部を噛み合わせた状態を示す正面図、図４は図３の一部拡大図、図５は図３の右側面図、図６は本例の金型の歯部を示す一部省略拡大斜視図、図７は本例の一対の金型の軸がずれた状態における歯部の噛み合わせ状態を示し、（Ａ）は上側の金型が一方にずれた状態を示す説明図であり、（Ｂ）は上側の金型が他方にずれた状態を示す説明図、図８は本例の金型で紙を圧縮した状態を示す一部拡大断面図、図９は本例の金型で紙を圧縮した状態を示す歯部幅方向縦断面図である。【００２３】
本例の紙の綴じ込み用金型セットは、対向して配置される一対の金型１，２で構成される。金型１，２の対向面３，４には、それぞれ互いに噛み合い可能な歯部５，６を有している。この歯部５，６は、断面略三角形で所定の幅を有し、対向面に複数連なって設けられている。
この歯部５，６にあっては、本例では山頂部７と谷底部８がいずれも曲面で形成されており、山頂部７の曲面が谷底８の曲面大きい曲率に形成されており、歯部５，６を噛み合わせたとき、一方の金型１の歯部５の山頂部７と他方の金型２の歯部６の谷底部８との間に隙間Ｓが形成されるようになっている（図２，図３参照。）。【００２４】
このように形成された歯部５，６のうち、本例では、一方の金型１に有する歯部５は、その幅方向の一側が、歯部５の山頂部７に向かって狭幅方向に傾斜する傾斜面部９となっている。また、金型２に有する歯部６は、その幅方向の一側で、前記した金型１に有する歯部５の傾斜面部９の対角線側が傾斜面部９となっている。この傾斜面部９の傾斜角度にあっては、特に限定されない。
また、金型１に有する歯部５にあっては、山頂部７が金型２に有する歯部６における傾斜面部９側の谷底部８に掛かる位置まで存在し、また、金型２に有する歯部６にあっては、山頂部７が金型１に有する歯部５における傾斜面部９側の谷底部８に掛かる位置まで存在している。【００２５】
金型１（２）に有する歯部５（６）における傾斜面部９側の谷底部８に掛かる位置に存在する金型２（１）に有する歯６（５））部の山頂部７にあっては、金型１（２）に有する歯部５（６）における傾斜面部９側の谷底部８に掛かる限り、その位置は限定されないが、本例では、金型２（１）に有する歯部６（５）の山頂部７は、金型１（２）に有する歯部５（６）における傾斜面部９側の谷底部８の端部８ａを越える位置まで存在している。
また、金型１，２に有する歯部５，６の幅方向の一側に有する傾斜面部９の反対側の面部１０にあっては、金型１（２）に有する歯部５（６）の山頂部７が、金型２（１）に有する歯部６（５）における傾斜面部９側の谷底部８に掛かる位置まで存在する限り、垂直面でも傾斜面でもよい。本例では、反対側の面部１０は垂直面となっている。【００２６】
また、本例では、対向する一対の金型１，２の歯部５，６を有するそれぞれの対向面３，４に、歯部５，６の傾斜面部９側と歯部５，６の連設方向の両側に、歯部５，６の谷底部８と略同一面となる平坦面１１が形成されている。
また、本例では、歯部５，６の山頂部７の幅方向の両側端部７ａ，７ｂと谷底部８の幅方向の両側端部８ａ，８ｂは曲面形状となっている。さらに、歯部５，６の側面、即ち、傾斜面部９及び反対側の面部１０と側壁面部１３とで形成される角部１４も曲面形状となっている（図６参照。）。【００２７】
このように構成された一対の金型１，２からなる綴じ込み用金型セットは、次のようにして複数枚重ねた紙を綴じ込む。
一対の金型１，２で重ねた複数枚の紙１５を厚さ方向両側から強く加圧し、金型１，２の歯部５，６を噛み合わせることにより、複数枚の紙１５は歯部５，６により圧縮され、歯部５，６の側壁面部１３間で強く上下方向に加圧されることになる。これにより重ねられている複数枚の紙１５が強く擦れ合い、表面の繊維が露出して絡んで圧縮されることにより圧縮部１６が一体化し、重なり合う紙１５同士がしっかりと結着する。そして、圧縮されて生じる紙１５の余剰繊維が金型１の歯部５の山頂部７と金型２の歯部６の谷底部８との間に形成される隙間Ｓに逃げることにより、この部分における紙１５の綴じ込み強度の低下が防止されることになる（図８参照。）。【００２８】
そして、本例では、金型１（２）に有する歯部５（６）の幅方向の一側が、歯部５（６）の山頂部７に向かって狭幅方向に傾斜する傾斜面部９となっており、この歯部５（６））に対向する金型２（１）に有する歯部６（５）にあっては、歯部６（５）の山頂部７が金型１（２）に有する歯部５（６）における傾斜面部９側の谷底部８の端部８ａを越える位置まで存在するので、金型１（２）の歯部５（６）の傾斜面部９側の山頂部７の端部７ａは金型２（１）の歯部６（５）の山頂部７の幅内にあり、金型１，２の歯部５，６を噛み合わせたとき、金型１（２）の歯部５（６）の傾斜面部９側の山頂部７の端部７ａ側が金型２（１）の歯部６（５）の山頂部７の幅内で噛み合い、金型１（２）の歯部５（６）の傾斜面部９側の谷底部８の端部８ａが金型２（１）の歯部６（５）の山頂部７と噛み合うことになる（図５参照。）。【００２９】
このようにして金型１，２で圧縮された複数枚の紙１５には、山部１７と谷部１８が形成され、山部１７の一側には傾斜面１９が形成され、谷部１８の、一側で山部１７に形成された傾斜面１９の反対側に傾斜面１９が形成された圧縮痕跡２０で示される綴じ込み部２１が形成される（図１０参照。）。【００３０】
そして、前記のように構成された金型１，２で重ねた複数枚の紙１５を厚さ方向両側から加圧し、金型１，２の歯部５，６を噛み合わせたとき、紙１５の最も破れ易い部分である歯部５，６の山頂部７の端部７ａ，７ｂにおいて、一方の金型１（２）の歯部５（６）の傾斜面部９側の山頂７部の端部７ａ，７ｂ側が他の金型２（１）の歯部６（５）の山頂部７の幅内で噛み合い、歯部５，６の山頂部７の端部７ａ，７ｂ同士が対向して噛み合わないので、強い圧力を加えても紙１５の破れを抑えることができ、また、他方の金型２（１）の歯部６（５）の山頂部７の幅内で噛み合う一方の金型１（２）の歯部５（６）の山頂部７の端部７ａ，７ｂが傾斜面部９となっているので、金型１，２の歯部５，６を噛み合わせたときの圧力を傾斜面部９が緩衝し、これによっても紙１５の破れを抑えることができる。【００３１】
これにより、複数枚の紙１５の綴じ込みに際し、金型１，２を強い力を加えて、紙１５の破れを抑えながら複数枚の紙１５を圧縮することが可能となり、紙１５の圧縮部１６に強い結着力が得られることから、複数枚の紙１５を、破れを抑えた状態で確実に綴じ込むことができる。また、一方の金型１（２）の歯部５（６）の傾斜面部９側の谷底部８の端部８ａが他方の金型２（１）の歯部６（５）の山頂部７と噛み合うので、紙１５は金型１，２の歯部５，６の山頂部７の端部７ａ，７ｂ間と谷底部８の端部８ａ，８ｂ間で圧縮されることになり、紙１５の圧縮部１６に強い結着力が得られ、複数枚の紙１５を確実に綴じ込むことができる（図９参照。）。【００３２】
また、本例では、金型１（２）の歯部５（６）の傾斜面部９側の山頂部７の端部７ａは金型２（１）の歯部６（５）の山頂部７の幅内にあるので、金型１と金型２の対向軸がずれても、金型１（２）の歯部５（６）の山頂部７の端部７ａが金型２（１）の歯部６（５）の山頂部７の幅内にある限り、金型１の歯部５と金型２の歯部６を確実に噛み合わせることができる（図７参照。）。【００３３】
そして、金型１の歯部５と金型２の歯部６の山頂部７の重なり幅Ｃは、金型１と金型２の対向軸のずれにより変化し、重なり幅Ｃが広いと紙１５の圧縮力が大きくなり、また重なり幅Ｃが狭いと紙１５の圧縮力が小さくなることから、金型１と金型２の対向軸を意識的にずらすことにより、紙１５の圧縮力を任意に制御することができる。【００３４】
また、本例では、金型１，２の歯部５，６を有するそれぞれの対向面３，４に、歯部５，６の傾斜面部９側と歯部５，６の連設方向の両側に、歯部５，６の谷底部８と略同一面となる平坦面１１が形成されているので、重ねた紙１５の枚数が多い場合、平坦面１１で重ねた紙１５を押さえることにより、歯部５，６による紙１５への過度な圧力を規制することができ、過度な圧力による紙１５の破れを防止し、あるいは減少させることができる（図９参照。）。【００３５】
また、本例では、歯部５，６の山頂部７の幅方向の両側端部７ａ，７ｂと谷底部８の幅方向の両側端部８ａ，８ｂは曲面形状となっており、さらに、歯部５，６の側面、即ち、傾斜面部９及び反対側の面部１０と側壁面部１３とで形成される角部１４も曲面形状となっているので、金型１，２の歯部５，６を噛み合わせたとき、圧力が曲面形状で分散されることになり、紙１５に特に強い圧力が掛かる歯部５，６の山頂部７の幅方向の両側端部７ａ，７ｂと谷底部８の幅方向の両側端部８ａ，８ｂによる紙１５の破れを効果的に防止し、あるいは減少させることができる。【００３６】
本例の金型１，２を使用して複数枚の紙１５を綴じて冊子を作成する例を説明する。まず、冊子となる複数枚の紙１５を重ねる。重ねた紙１５には折り曲げ線２２，２２が所定の間隔を空けて平行に形成されている（図１１参照。）。この重ねた紙１５を、折り曲げ線２２、２２の間で、折り曲げ線２２、２２に沿って金型１の歯部５と金型２の歯部６を確実に噛み合わせることにより綴じ込み部２１が形成され、複数枚の紙１５は綴じ込み部２１によって綴じられ冊子２３となる（図１２参照。）。【００３７】
図１３乃至図１４は本発明に係る紙の綴じ込み用金型セットの第２実施例を示すものであり、図１３は本例の紙の綴じ込み用金型セットを示す側面図、図１４は本例の一対の金型の歯部を噛み合わせた状態を示す正面図、図１５は本例の金型で紙を圧縮した状態を示す歯部幅方向縦断面図である。【００３８】
本例の紙の綴じ込み用金型セットは、基本構成を前述した第１実施例と同じくするものであり、図１３乃至図１４において、前述した第１実施例と対応する部分には同一の符号を付し、その説明を省略する。【００３９】
本例の紙の綴じ込み用金型セットは、前述した第１実施例と同様、対向して配置される一対の金型１，２で構成される。金型１，２の対向面３，４には、それぞれ互いに噛み合い可能な歯部５，６を有している。この歯部５，６は、断面略三角形で所定の歯幅を有し、対向面に複数連なって設けられている。【００４０】
このように形成された歯部５，６のうち、本例では、前述した第１実施例と同様、一方の金型１に有する歯部５は、その幅方向の一側が、歯部５の山頂部７に向かって狭幅方向に傾斜する傾斜面部９となっている。また、金型２に有する歯部６は、その幅方向の一側で、前記した金型１に有する歯部５の傾斜面部９の対角線側が傾斜面部９となっている。  また、金型１に有する歯部５にあっては、山頂部７が金型２に有する歯部６における傾斜面部９側の谷底部８の端部８ａに掛かる位置まで存在し、また、金型２に有する歯部６にあっては、山頂部７が金型１に有する歯部５における傾斜面部９側の谷底部８の端部８ａに掛かる位置まで存在している。
また、金型１，２に有する歯部５，６の幅方向の一側に有する傾斜面部９の反対側の面部１０にあっては、金型１（２）に有する歯部５（６）の山頂部７が、金型２（１）に有する歯部６（５）における傾斜面部９側の谷底部８に掛かる位置まで存在する限り、垂直面でも傾斜面でもよい。本例では、反対側の面部１０は傾斜面となっている。【００４１】
本例と第１実施例との違いは、本例では、金型１，２の歯部５，６を有するそれぞれの対向面３，４の歯部５，６の幅方向両側に、歯部５，６の谷底部８と略同一面となる平坦面１１が形成されている点だけである。他は第１実施例と同様であり、第１実施例の説明を援用する。【００４２】
このように構成された本例の金型１，２からなる綴じ込み用金型セットによれば、金型１，２の歯部５，６を有するそれぞれの対向面３，４の歯部５，６の幅方向両側に、歯部５，６の谷底部８と略同一面となる平坦面１１が形成されているので、重ねた紙１５の枚数が多い場合、平坦面１１で重ねた紙１５を、歯部５，６の幅方向の両側に形成された平坦面１１で押さえることにより、歯部５，６による紙１５への過度な圧力を規制することができ、過度な圧力による紙１５の破れを効果的に防止し、あるいは減少させることができる（図１５参照。）。
他の作用効果は、第１実施例と同様であり、第１実施例の説明を援用する。【００４３】
図１６、図１７は本発明に係る紙の綴じ込み用金型セットの第３実施例を示すものであり、図１６は本例の紙の綴じ込み用金型セットを示す側面図、図１７は本例の一対の金型の歯部を噛み合わせた状態を示す正面図である。【００４４】
本例の紙の綴じ込み用金型セットは、基本構成を前述した第２実施例と同じくするものであり、図１６、図１７において、前述した第２実施例と対応する部分には同一の符号を付し、その説明を省略する。【００４５】
本例の紙の綴じ込み用金型セットは、前述した第２実施例と同様、対向して配置される一対の金型１，２で構成される。金型１，２の対向面３，４には、それぞれ互いに噛み合い可能な歯部５，６を有している。この歯部５，６は、断面略三角形で所定の幅を有し、対向面に複数連なって設けられている。【００４６】
このように形成された歯部５，６のうち、本例では、一方の金型１に有する歯部５は、その幅方向の両側が、歯部５の山頂部７に向かって狭幅方向に傾斜する傾斜面部９となっている。そして、金型２に有する歯部６は、その山頂部７が、金型１に有する歯部５の幅方向両側の傾斜面部９側の谷底部８の端部８ａに掛かる位置まで存在している。
また、金型２に有する歯部６の幅方向の両側の面部１０は、本例では傾斜面となっている。
他は第２実施例と同様であり、第２実施例の説明を援用する。【００４７】
このように構成された本例の金型１，２からなる綴じ込み用金型セットによれば、一方の金型１に有する歯部５の幅方向の両側が、歯部５の山頂部７に向かって狭幅方向に傾斜する傾斜面部９となっているので、金型１，２の歯部５，６を噛み合わせたとき、歯部５，６の幅方向の両側が均等な圧力で噛み合うので、紙１５への圧力が安定し、金型１，２の歯部５，６による紙１５への噛み合わせが容易となり、また歯部５，６の噛み合わせによる紙１５の破れを防止し、あるいは減少させることができる。
また、本例では、金型１に有する歯部５の幅方向の両側が、歯部５の山頂部７に向かって狭幅方向に傾斜する傾斜面部９となっているので、歯部５の山頂部７の幅は金型２に有する歯部６の山頂部７の幅より短く、金型１の歯部５の山頂部７は金型２の歯部６の山頂部７の幅内にあるので、金型１と金型２の対向軸がずれても、金型１の歯部５の山頂部７が金型２の歯部６の山頂部７の幅内にある限り、金型１の歯部５と金型２の歯部６を確実に噛み合わせることができる。
他の作用効果は、第２実施例と同様であり、第２実施例の説明を援用する。【００４８】
図１８、図１９は本発明に係る紙の綴じ込み用金型セットの第４実施例を示すものであり、図１８は本例の紙の綴じ込み用金型セットを示す側面図、図１９は本例の一対の金型の歯部を噛み合わせた状態を示す正面図である。【００４９】
本例の紙の綴じ込み用金型セットは、基本構成を前述した第３実施例と同じくするものであり、図１８、図１９において、前述した第３実施例と対応する部分には同一の符号を付し、その説明を省略する。【００５０】
本例の紙の綴じ込み用金型セットは、前述した第３実施例と同様、対向して配置される一対の金型１，２で構成される。金型１，２の対向面３，４には、それぞれ互いに噛み合い可能な歯部５，６を有している。この歯部５，６は、断面略三角形で所定の歯幅を有し、対向面に複数連なって設けられている。【００５１】
このように形成された歯部５，６のうち、本例では、一方の金型１に有する歯部５は、その幅方向の両側が、歯部５の山頂部７に向かって狭幅方向に傾斜する傾斜面部９となっている。そして、歯部５の山頂部７には、幅方向に直線部が存在せず、小円弧状となっている。また、金型２に有する歯部６は、その山頂部７が、金型１に有する歯部５の幅方向両側の傾斜面部９側の谷底部８の端部８ａに掛かる位置まで存在している。
また、金型２に有する歯部６の幅方向の両側の面部１０は、本例では傾斜面となっている。
他は第３実施例と同様であり、第３実施例の説明を援用する。【００５２】
このように構成された本例の金型１，２からなる綴じ込み用金型セットによれば、一方の金型１に有する歯部５の幅方向の両側が、歯部５の山頂部７に向かって狭幅方向に傾斜する傾斜面部９となっており、そして、歯部５は両側に有する傾斜面部９により略三角形となっており、その山頂部７が小円弧状となっているので、金型１，２の歯部５，６を噛み合わせたとき、歯部５の山頂部７が紙１５に食い込み易く、金型１，２の歯部５，６による紙１５への噛み合わせが容易となる。
他の作用効果は、第３実施例と同様であり、第３実施例の説明を援用する。【００５３】
図２０、図２１は本発明に係る紙の綴じ込み用金型セットの第５実施例を示すものであり、図２０は本例の紙の綴じ込み用金型セットを示す側面図、図２１は本例の一対の金型の歯部を噛み合わせた状態を示す正面図である。【００５４】
本例の紙の綴じ込み用金型セットは、基本構成を前述した第３実施例と同じくするものであり、図２０、図２１において、前述した第３実施例と対応する部分には同一の符号を付し、その説明を省略する。【００５５】
本例の紙の綴じ込み用金型セットは、前述した第３実施例と同様、対向して配置される一対の金型１，２で構成される。金型１，２の対向面３，４には、それぞれ互いに噛み合い可能な歯部５，６を有している。この歯部５，６は、断面略三角形で所定の歯幅を有し、対向面に複数連なって設けられている。【００５６】
このように形成された歯部５，６のうち、本例では、第３実施例と同様に、一方の金型１に有する歯部５は、その幅方向の両側が、歯部５の山頂部７に向かって狭幅方向に傾斜する傾斜面部９となっている。そして、金型２に有する歯部６は、その山頂部７が、金型１に有する歯部５の幅方向両側の傾斜面部９側の谷底部８の端部８ａに掛かる位置まで存在している。
また、金型２に有する歯部６の幅方向の両側の面部１０は、本例では傾斜面となっている。【００５７】
本例と第３実施例との違いは、本例では、金型１の歯部５を有する対向面３の歯部５の幅方向両側に平坦面が形成されていない。その代わり、本例では、金型１の歯部５の谷底部８の幅方向の両側端部８ａ，８ｂが曲面形状となっている。
他は第３実施例と同様であり、第３実施例の説明を援用する。【００５８】
このように構成された本例の金型１，２からなる綴じ込み用金型セットによれば、金型１の歯部５の谷底部８の幅方向の両側端部８ａ，８ｂが曲面形状となっているので、金型１，２の歯部５，６を噛み合わせたとき、金型１の歯部５の谷底部８の幅方向の両側端部８ａ，８ｂによる圧力が曲面形状で分散されることになり、歯部５，６の噛み合わせによる紙１５の破れを防止し、あるいは減少させることができる。
他の作用効果は、第３実施例と同様であり、第３実施例の説明を援用する。【００５９】
図２２は、本発明に係る紙の綴じ込み用金型セットの第６実施例を示す正面図である。
本例の紙の綴じ込み用金型セットは、基本構成を前述した第３実施例と同じくするものであり、図２２において、前述した第３実施例と対応する部分には同一の符号を付し、その説明を省略する。【００６０】
本例の紙の綴じ込み用金型セットは、前述した第１実施例と同様、対向して配置される一対の金型１，２で構成される。金型１，２の対向面３，４には、それぞれ互いに噛み合い可能な歯部５，６を有している。この歯部５，６は、断面略三角形で所定の歯幅を有し、対向面に複数連なって設けられている。【００６１】
このように形成された歯部５，６のうち、本例では、前述した第１実施例と同様、一方の金型１に有する歯部５は、その幅方向の一側が、歯部５の山頂部７に向かって狭幅方向に傾斜する傾斜面部９となっている。また、金型２に有する歯部６は、その幅方向の一側で、前記した金型１に有する歯部５の傾斜面部９の対角線側が傾斜面部９となっている。また、金型１に有する歯部５にあっては、山頂部７が金型２に有する歯部６における傾斜面部９側の谷底部８に掛かる位置まで存在し、また、金型２に有する歯部６にあっては、山頂部７が金型１に有する歯部５における傾斜面部９側の谷底部８に掛かる位置まで存在している。
また、金型１，２に有する歯部５，６の幅方向の一側に有する傾斜面部９の反対側の面部１０にあっては、金型１（２）に有する歯部５（６）の山頂部７が、金型２（１）に有する歯部６（５）における傾斜面部９側の谷底部８に掛かる位置まで存在する限り、垂直面でも傾斜面でもよい。本例では、反対側の面部１０は垂直面となっている。【００６２】
本例では、金型１，２のうち、一方の金型１は歯車形状となっており、他方の金型２は直線形状となっている。また、本例では、歯車形状となっている金型１には、歯部５，６がエンドレスで連設されており、連設方向に平坦面はない。他は第１実施例と同様であり、第１実施例の説明を援用する。【００６３】
このように構成された本例の金型１，２からなる綴じ込み用金型セットによれば、金型１，２のうち、一方の金型１は歯車形状となっており、他方の金型２は直線形状となっているので、歯車形状の金型１が回転し、歯車形状の金型１または直線形状の金型２が移動することにより紙１５を綴じ込むことができる。このように、本例の金型１，２は往復運動で紙１５を加圧し圧縮するので、噛み合う接点も部分的であり、面圧が相当に減少する。また、綴じる箇所の範囲（寸法）に容易に対応することができる。また、この金型１，２は、プレス時の騒音も少ない。他の作用効果は、第３実施例と同様であり、第３実施例の説明を援用する。
【符号の説明】
【００６４】
１，２  金型
３，４  対向面
５，６  歯部
７  山頂部
７ａ，７ｂ  山頂部の端部
８  谷底部
８ａ，８ｂ  谷底部の端部
９  傾斜面部
１０  面部
１１  平坦面
１３  側壁面部
１４  角部
１５  紙
１６  圧縮部
１７  山部
１８  谷部
１９  傾斜面
２０  圧縮痕跡
２１  綴じ込み部
２２  折り曲げ線
２３  冊子
【図１】
2011018897.tif 000003
【図２】
2011018897.tif 000004
【図３】
2011018897.tif 000005
【図４】
2011018897.tif 000006
【図５】
2011018897.tif 000007
【図６】
2011018897.tif 000008
【図７】
2011018897.tif 000009
【図８】
2011018897.tif 000010
【図９】
2011018897.tif 000011
【図１０】
2011018897.tif 000012
【図１１】
2011018897.tif 000013
【図１２】
2011018897.tif 000014
【図１３】
2011018897.tif 000015
【図１４】
2011018897.tif 000016
【図１５】
2011018897.tif 000017
【図１６】
2011018897.tif 000018
【図１７】
2011018897.tif 000019
【図１８】
2011018897.tif 000020
【図１９】
2011018897.tif 000021
【図２０】
2011018897.tif 000022
【図２１】
2011018897.tif 000023
【図２２】
2011018897.tif 000024
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
対向して配置され、対向面に互いに噛み合い可能な歯部を有する一対の金型からなり、この一対の金型で重ねた複数枚の紙を厚さ方向両側から加圧し、一対の金型の歯部を噛み合わせることにより、複数枚の紙を綴じ込む紙の綴じ込み用金型セットであって、前記一対の金型のそれぞれの対向面に有する歯部は、断面略三角形で所定の歯幅を有し、対向面に複数連なって設けられており、前記一対の金型のそれぞれの対向面に有する歯部のうち、一方の金型に有する歯部にあっては、歯幅方向の一側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在していることを特徴とする紙の綴じ込み用金型セット。
【請求項２】
前記一対の金型のうち、少なくとも一方の金型の歯部を有する対向面には、歯部の幅方向の一側または両側に、歯部の谷底部と略同一面となる平坦面が形成されていることを特徴とする請求項１に記載の紙の綴じ込み用金型セット。
【請求項３】
前記歯部の山頂部の幅方向の両側端部と谷底部の幅方向の両側端部は曲面形状となっていることを特徴とする請求項１または２のいずれか１に記載の紙の綴じ込み用金型セット。
【請求項４】
前記一対の金型のうち、一方の金型は歯車形状となっており、他方の金型は、直線形状となっていることを特徴とする請求項１，２または３のいずれか１に記載の紙の綴じ込み用金型セット。
【手続補正２】
【補正対象書類名】明細書
【補正対象項目名】０００３
【補正方法】変更
【補正の内容】
【０００３】
おり、この歯部に対向する他方の金型に有する歯部にあっては、少なくとも、歯部の山頂部が前記一方の金型に有する歯部における傾斜面部側の谷底部に掛かる位置まで存在するので、対向する一対の金型の歯部にあっては、一方の金型の歯部の傾斜面部側の山頂部の端部は他の金型の歯部の山頂部の幅内にあり、対向する一対の金型の歯部を噛み合わせたとき、一方の金型の歯部の傾斜面部側の山頂部の端部側が他方の金型の歯部の山頂部の幅内で噛み合い、一方の金型の歯部の傾斜面部側の谷底部と他方の金型の歯部の山頂部と噛み合うことになる。
［０００９］
このような一対の金型で重ねた複数枚の紙を厚さ方向両側から加圧し、一対の金型の歯部を噛み合わせたとき、紙の最も破れ易い部分である歯部の山頂部の端部において、傾斜面部側の山頂部の端部側が他方の金型の歯部の山頂部の幅内で噛み合い、山頂部の端部同士が対向して噛み合わないので、強い圧力を加えても紙の破れを抑えることができ、また、前記他方の金型の歯部の山頂部の幅内で噛み合う一方の歯部の山頂部の端部が傾斜面部となっているので、金型の歯部を噛み合わせたときの圧力を傾斜面部が緩衝し、これによっても紙の破れを抑えることができる。
［００１０］
これにより、複数枚の紙の綴じ込みに際し、一対の金型を強い力を加えて、紙の破れを抑えながら複数枚の紙を圧縮することが可能となり、紙の圧縮部に強い結着力が得られることから、複数枚の紙を、破れを抑えた状態で確実に綴じ込むことができる。
また、一方の金型の歯部の傾斜面部側の谷底部の端部が他方の金型の歯部の山頂部と噛み合うので、紙は金型の歯部の山頂部の端部間と谷底部の端部間で圧縮されることになり、紙の圧縮部に強い結着力が得られ、複数枚の紙を確実に綴じ込むことができる。
［００１１］
請求項２に記載された発明は、請求項１に記載の、前記一対の金型のうち、少なくとも一方の金型の歯部を有する対向面には、歯部の幅方向の一側または両側に、歯部の谷底部と略同一面となる平坦面が形成されていることを特徴とする。
［００１２］
請求項２に記載された発明によれば、前記一対の金型のうち、少なくとも一方の金型の歯部を有する
【手続補正３】
【補正対象書類名】明細書
【補正対象項目名】０００４
【補正方法】変更
【補正の内容】
【０００４】
対向面には、歯部の幅方向の一側または両側に、歯部の谷底部と略同一面となる平坦面が形成されているので、重ねた紙の枚数が多い場合、歯部の圧力を高める必要があるが、過度な圧力は紙の破れを招き、綴じ込み強度の低下を招くことがあり、平坦面で重ねた紙を押さえることにより、歯部による紙への過度な圧力を規制することができる。
［００１３］
請求項３に記載された発明は、請求項１または２のいずれか１に記載の、前記歯部の山頂部の幅方向の両側端部と谷底部の幅方向の両側端部は曲面形状となっていることを特徴とする。
［００１４］
請求項３に記載された発明によれば、前記歯部の山頂部の幅方向の両側端部と谷底部の幅方向の両側端部は曲面形状となっているので、歯部を噛み合わせたとき、紙に特に強い負荷が掛かる前記歯部の山頂部の幅方向の両側端部と谷底部の幅方向の両側端部による紙の破れを効果的に防止し、あるいは減少させることができる。
［００１５］
請求項４に記載された発明は、請求項１，２または３のいずれか１に記載の、前記一対の金型のうち、一方の金型は歯車形状となっており、他方の金型は、直線形状となっていることを特徴とする。
［００１６］
請求項４に記載された発明によれば、前記一対の金型のうち、一方の金型は歯車形状となっており、他方の金型は、直線形状となっているので、歯車形状の金型が回転し、歯車形状の金型または直線形状の金型が移動することにより綴じ込みが可能となる。この金型は往復運動での加圧が可能であり、また、噛み合う接点も部分的であるため、面圧が相当減少することとなる。また、綴じる箇所の範囲に容易に対応することができる。
また、この金型は、プレス時の騒音も少なく、且つ、コンパクトな装置での綴じ込みが可能となり、手動式の綴じ機器や、スペースの少ないオンデマンドデジタルプリンターのインナー綴じ機器の金型として活用することができる。
発明の効果
［００１７］
本発明の紙の綴じ込み用金型セットによれば、複数枚の紙の綴じ込みに際
【手続補正４】
【補正対象書類名】明細書
【補正対象項目名】０００７
【補正方法】変更
【補正の内容】
【０００７】
側または両側が、歯部の山頂部に向かって狭幅方向に傾斜する傾斜面部となっており、この歯部に対向する他方の金型に有する歯部にあっては、少なくとも、歯部の山頂部が前記一方の金型に有する歯部における傾斜面部側の谷底部に掛かる位置まで存在する。
この傾斜面部にあっては、一方の金型に有する歯部の幅方向の一側に設けられ、そして他方の金型に有する歯部には、対向する一方の金型の歯部の傾斜面部の対角線上にある一側に設けられてもよく、また、傾斜面部が一方の金型に有する歯部の幅方向の両側に設けられてもよい。この傾斜面部の傾斜角度にあっては、特に限定されない。
また、一方の金型に有する歯部における傾斜面部側の谷底部に掛かる位置に存在する他方の金型に有する歯部の山頂部にあっては、一方の金型に有する歯部における傾斜面部側の谷底部に掛かる限り、その位置は限定されない。例えば、他方の金型に有する歯部の山頂部は、一方の金型に有する歯部における傾斜面部側の谷底部の途中まで存在していてもよく、または、傾斜面部側の谷底部を越える位置まで存在していてもよい。
［００２１］
また、対向する一対の金型のうち、少なくとも一方の金型の歯部を有する対向面には、歯部の幅方向の一側または両側に、歯部の谷底部と略同一面となる平坦面が形成されていることが好ましい。さらに、対向する一対の金型のうち、少なくとも一方の金型の歯部を有する対向面に、歯部の連設方向の一側または両側に、歯部の谷底部と略同一面となる平坦面が形成されていることが好ましい。また、歯部の山頂部の幅方向の両側端部と谷底部の幅方向の両側端部は曲面形状となっていることが好ましい。さらに、歯部の側面、即ち、傾斜面部及び傾斜面部の反対側の面部とで形成される角部も曲面形状とすることが好ましい。
実施例
［００２２］
以下、本発明に係る紙の綴じ込み用金型セットの具体的実施例を図面により詳細に説明する。
図１乃至図９は本発明に係る紙の綴じ込み用金型セットの第１実施例を示すものであり、図１は本例の紙の綴じ込み用金型セットを示す正面図、図２
【国際調査報告】
2011018897.tif 000025
2011018897.tif 000026
2011018897.tif 000027
2011018897.tif 000028